(57)【要約】【課題】Ｖベルトの脱着、溝の位置の移動が安全にかつ容易にできる脱着用治具を提供するものである。【解決手段】危険作業のＶベルトの交換や位置交換を安全・的確に行うために、本開発品はハンドル部の先端に曲がりを付けた金属板を取り付け、その水平方向のやや両先端下部に、Ｖベルトの勾配と同じ円錐金具および両最先端部にＶベルト反転防止金属棒を直角に取り付けたＶベルト変換用治具である。すなわち円錐部分をＶベルトに対して目的の溝の方向に対角線状に挟んで設置し、ハンドル部を架け替えたい方向にねじり、プーリーを回転してベルトの反転なくＶベルトを目的の溝に安全に収めることができる。プーリー直径が小さいとき治具が適応しにくいが、この場合押上工具を使用しＶベルトを押し上げたのち、同様の方法でＶベルトを容易に移動・脱着できる。【選択図】図６
2018028344.tif 000002
【特許請求の範囲】
【請求項１】
棒形状のハンドル部と、プーリーの曲面に当たらない下向きの曲面を有した金属板と、Ｖベルトの内側勾配に応じた勾配を有した円錐金具からなり、金属板をハンドル部先端と直角方向の水平方向に設け、金属板の水平方向両端の裏面に前記円錐金具を設けたことを特徴とするＶベルト脱着用治具。
【請求項２】
金属板の水平方向両端の曲面は水平方向中心よりも曲率半径が小さく、曲率中心が上向きであることを特徴とする、請求項１記載のＶベルト脱着用治具。
【請求項３】
金属板でプーリーの溝方向に対応する幅を有した下向きの曲面を有し、曲面の水平方向両端近傍の幅は端に向かうほど狭く、曲面の水平方向中心近傍の裏面に鉛直方向の断面形状が台形状の磁性金具を有した押上工具を設けたことを特徴とする、請求項１または２記載のＶベルト脱着用治具。
【発明の詳細な説明】
【技術分野】
【０００１】
本発明は複数掛けプーリー（ベルトの掛け数は異なる）のＶベルトをＶベルト、プーリーに傷を付けることなく、モーターの取り付けボルトを緩めず芯出しをする必要がなく、安全にまた熟練した技術も不要で、極めて容易にベルト交換できる治具に関するものである。
【背景技術】
【０００２】
プーリーにきつく張られたＶベルトの交換には、従来の脱着工具として、ドライバーやバール等をプーリーの溝に当ててベルトを滑らせてベルトの溝の位置を交換して行う。このとき工具がプーリーから外れ指を挟んだり、きつく張られているベルトの反動で工具が弾かれ、怪我をする危険性がある。またベルトやプーリーに傷をつける恐れが有り、ベルトの破断の原因となる。さらにベルトの反転が起こり、これを正常な状態に正す事が困難な作業となる。一般的にＶベルトを使用している工作機械の設置場所は、狭い場所である事が多く、壁や障害物でＶベルトの交換作業は、さらに困難なものとなる。これらの作業が困難な場合、Ｖベルトの交換やベルトの位置を換えようとすれば、モーターその他の取り付けボルトを一時緩めてから行われる。モーターなどの取り付けボルトを緩める事でベルトの芯が狂うため、改めて芯出しを行うなどの作業を余儀なくされ、一連の作業には熟練技術が必要となる。
今までのＶベルトの脱着治具に関するものとして特許文献１および２に関するものがある。特許文献１の問題点として以下がある。装置が複雑であり蝶ねじが多く、プーリーの大きさに応じそれぞれの蝶ねじを調節して締める必要があり、セットが複雑で時間を要する。多数のＶベルトが掛けてある場合には、掛け替えるガイドの板（ヘラ部材）の幅や、ベルト押上ガイド（抑え部）もそれに応じて幅を広くする必要がある。その場合、幅の広いガイドと押上ガイドも交換する必要がある。さらにガイド幅を広くすることで、固定が不安定で危険性が増し、プーリーに傷を付けるなどの恐れがある。また、ガイドの勾配が垂直でＶベルトの勾配と異なり、ベルトの反転を起こしやすいなどの欠点がある。
特許文献２の問題点として以下がある。装置が極めて複雑であり、プーリーにセットするための時間を要する。プーリーの大きさ（直径）に合った取り付け部品が必要である。ベルト押上工具（Ｖベルト取り付け取り外し治具）の設置に手間を要し、指を挟む危険性がある。特にベルトの位置を交換するとき、Ｖベルト取り付け取り外し治具は、ベルトの位置変換をバールなどでこじあけて行うことと同様な方法であるため、ベルトの反転を起こしやすいなどの欠点がある。
【先行技術文献】
【特許文献】
【０００３】
【特許文献１】特許第５４７４９１５号公報
【特許文献２】特開平９−２４２８３４号公報
【発明の概要】
【発明が解決しようとする課題】
【０００４】
Ｖベルトの脱着、溝の架け替えが安全にかつ容易にできる脱着用治具を提供するものである。
【課題を解決するための手段】
【０００５】
上記課題を解決するために、本発明のＶベルト脱着用治具は、以下の手段を有する。
第一の手段として、棒形状のハンドル部と、プーリーの曲面に当たらない下向きの曲面を有した金属板と、Ｖベルトの内側勾配に応じた勾配を有した円錐金具からなり、金属板をハンドル部先端と直角方向の水平方向に設け、金属板の水平方向両端の裏面に前記円錐金具を設けたことを特徴とする。
第二の手段として、金属板の水平方向両端の曲面は水平方向中心よりも曲率半径が小さく、曲率中心が上向きであることを特徴とする。
第三の手段として、金属板でプーリーの溝方向に対応する幅を有した下向きの曲面を有し、曲面の水平方向両端近傍の幅は端に向かうほど狭く、曲面の水平方向近傍の裏面に鉛直方向の断面形状が台形状の磁性金具を有した押上工具を設けたことを特徴とする。
【発明の効果】
【０００６】
本発明のＶベルト脱着用治具は次のような効果を有する。
（１）きつく張られたＶベルトの交換において、工具がプーリーから外れて指を挟む、工具が弾かれて怪我をするなどの危険がない。（２）ベルトやプーリーに傷をつける恐れがなく、ベルトの破断などの損傷がない。（３）ベルトの反転が起こらない。（４）Ｖベルトを使用している工作機械の設置場所が狭い場所でも、容易にＶベルトの脱着や溝の位置を変えることが可能となる。（５）Ｖベルトの交換やベルトの溝の位置を変えるためモーターその他の取り付けボルトを緩める事がないので、改めて芯出しを行うことがない。（６）プーリー径が小さい場合、ベルト押上げ金具を使用することで、これらの作業を容易にできるなど、一連の作業には熟練技術は不要である。
【図面の簡単な説明】
【０００７】
【図１】実施例１におけるＶベルト脱着用治具を示す斜視図である。
【図２】実施例１におけるＶベルト脱着用治具を示す正面図である。
【図３】実施例１におけるＶベルト脱着用治具を示す平面図である。
【図４】実施例１におけるＶベルト脱着用治具を示す底面図である。
【図５】実施例１におけるＶベルト脱着用治具を用いてＶベルトをプーリーから取り外す方法を説明する図で、（ａ）はその平面図で（ｂ）（ｃ）（ｄ）は順に、Ｖベルトの取り外しの状況を示す斜視図である。
【図６】実施例１におけるＶベルト脱着用治具を用いてＶベルトの溝の移動を説明する図で、（ａ）はその平面図で、（ｂ）はＶベルトの移動を示す斜視図である。
【図７】実施例２におけるＶベルト脱着用治具の押上工具の正面図である。
【図８】実施例２におけるＶベルト脱着用治具の押上工具の平面図である。
【図９】実施例２におけるＶベルト脱着用治具を使用して、小プーリーでのＶベルトを隣の溝に移動させる方法を説明する正面図である。
【発明を実施するための形態】
【０００８】
以下本発明の実施の形態を添付図に基づいて説明する。
【実施例１】
【０００９】
本発明の一つめの実施の形態を添付図に基づいて説明する。
図１〜５に示すように、一つめの実施の形態の構成は以下のようになる。
本発明品は手元部１をハンドル部２とし、プーリー１０の曲面に当たらない程度に適度に曲がりを付けた金属板３の中央部をハンドル部２の先端に直角に取り付け、金属板３の水平方向の両先端よりやや内側部に、それぞれＶベルト９の内側勾配９Ａに応じた勾配５Ａを持つ円錐金具５が、円錐金具取り付けビス６により円錐部分の頂点部分を金属板３に接着・取り付けてある。Ｖベルト９の内側勾配９ＡはＶベルト９の大小に関わらず４０°であるので全てこの円錐金具５で適応できる。またＶベルト９の幅は１２．５〜３１．０ｍｍと多種であるが、極端に幅の広いＶベルト９については大きい治具を用いる。金属板３の水平方向の両最先端部は金属板３の幅より少し長いＶベルト反転防止金属棒４が、直角にそれぞれ取り付けてある。金属板３の水平方向の両先端部分を扇形に広げＶベルト反転防止金属棒４の代わりとすることもできる。
金属板３の水平方向両端の曲面は水平方向中心よりも曲率半径が小さく、曲率中心が上向きとしている。
図５の（ａ）に示すように、一つめの実施の形態では、Ｖベルト９をプーリー１０から外すために以下のようにセットする。それぞれの円錐金具５の勾配５Ａの部分を、Ｖベルト９に対して対角線状に挟む。図５の（ｂ）〜（ｄ）に示すように、一つめの実施の形態では、Ｖベルト９をプーリー１０から外すために以下のように使用する。それぞれの円錐金具５の勾配５Ａの部分をＶベルト９に対して対角線状に挟み、プーリー１０から外す方向にハンドル部２をねじりながらプーリー１０を回転する。この結果Ｖベルト９はプーリーの山１０Ａを越えて外すことができる。
図６の（ａ）に示すように一つめの実施の形態では、Ｖベルト９を移動させるために以下のようにセットする。前述の図５と同様に、それぞれの円錐金具５の勾配５Ａの部分をＶベルト９に対して対角線状に挟む。図６の（ｂ）に示すように、一つめの実施の形態では、Ｖベルト９をプーリー１０の現在の溝１０Ｂから目的とする溝１０Ｂに移動するために以下のように使用する。それぞれの円錐金具５の勾配５Ａの部分を、Ｖベルト９に対して対角線状に挟み、Ｖベルト９を移動する方向にハンドル部２をねじりながらプーリー１０を回転する。この結果Ｖベルト９は、プーリーの山１０Ａを越えて目的の溝１０Ｂに移動することができる。
以上のように一つめの実施の形態によれば以下の効果を有する。
Ｖベルト９の内側勾配９Ａが円錐金具５に密着することと、金属板３の水平方向の両最先端に取り付けたＶベルト反転防止金属棒４で、Ｖベルト９が反転することを防止できる。プーリー１０の外周付近に障害物があるような狭い場所でも、発明治具を使用できる高さの空間があれば容易に作業が可能である。
【実施例２】
【００１０】
直径が小さい小プーリー１１の場合、治具が適応しにくいときがある。この場合、さらに押上工具を使用する。
図７〜９に示すように二つめの実施の形態の構成は金属板７と磁性金具８を有した押上工具を使用するものであり以下のようになる。
押上工具は金属製の工具で、図９に押上工具の小プーリー１１への装着状態を示す。金属板７は水平方向に長い形状で小プーリー１１の溝１１Ｂの方向に対応する幅を有し、水平方向に小プーリー１１の外形と同じ内側に円形の曲面で覆い、曲面の水平方向両端近傍は小プーリー１１の溝１１Ｂの勾配に応じて幅が狭くなり、溝１１Ｂの底部まで着く程度に曲げられている。金属板７の曲面の水平方向中心近傍の裏面に小プーリー１１の溝１１Ｂに収まる、鉛直方向の断面形状が台形状で磁石製の磁性金具８が取り付けてあり、磁石により簡単に小プーリー１１に装着できる。
図９に示すように二つめの実施の形態では、Ｖベルト９を現在の溝１０Ｂから移動させるために小プーリー１１に以下のようにセットして使用する。先ず押上工具を小プーリー１１に装着し、プーリー１１を回転してＶベルト９を押し上げる。次にＶベルト脱着用治具を小プーリー１１上にセットし、実施例１と同様に移動したい溝方向にハンドル部２をねじり、プーリー１１を回転することで目的の溝１１ＢにＶベルト９を容易に移動できる。Ｖベルト９の取り外しも同様の手順で簡単に行うことができる。
以上のように二つめの実施の形態によれば、以下の効果を有する。
押上工具は、小プーリーの溝１１Ｂにはまる形状の台形の磁石にしたことで、簡単に小プーリー１１に装着でき、Ｖベルト９を押上げることで小プーリー１１でも脱着用治具の使用が容易になり、Ｖベルト９の溝の移動が容易にできる。
【符号の説明】
【００１１】
１      手元部
２      ハンドル部
３      金属板
４      Ｖベルト反転防止金属棒
５      円錐金具
５Ａ    円錐金具の勾配
６      円錐金具取り付けビス
７      金属板
８      磁性金具
９      Ｖベルト
９Ａ    Ｖベルトの内側勾配
１０    プーリー
１０Ａ  プーリーの山
１０Ｂ  プーリーの溝
１１    小プーリー
１１Ａ  小プーリーの山
１１Ｂ  小プーリーの溝
【図１】
2018028344.tif 000003
【図２】
2018028344.tif 000004
【図３】
2018028344.tif 000005
【図４】
2018028344.tif 000006
【図５】
2018028344.tif 000007
【図６】
2018028344.tif 000008
【図７】
2018028344.tif 000009
【図８】
2018028344.tif 000010
【図９】
2018028344.tif 000011